(57)【要約】      （修正有）【課題】広い駐車場に駐車した車両を、夜間あるいは暗い地下駐車場で容易に見つけることができる車両の駐車位置確認方法を提供する。【解決手段】乗員が地下駐車場に車両５０を駐車して用事を済ませ、地下駐車場に戻ったとき、リモコン１１のボタンを押すと、投光ランプが点灯し、図柄２８ａが地下駐車場の天井、あるいは壁の上部に投影され、乗員は駐車位置を容易に知ることができる。駐車車両５０の周囲の人や車両が投光ランプユニット１０で照射されることがないように、投光ランプユニット１０の照射光を車両５０の上方に向けて投光するので、投光ランプユニット１０の照射光や音声で駐車車両の周囲に迷惑を及ぼさない。投光ランプユニット１０を車内に設置するので、投光ランプユニット１０に雨水や泥、塵埃が付着して作動不良を来たすのを防止でき、投光ランプユニット１０の盗難を防止できる。【選択図】図３
2016113004.tif 000002
【特許請求の範囲】
【請求項１】
リモコン操作で点灯制御できる投光ランプユニットを、点灯したとき車体の上方に向けて照射光が投光されるように車体に設置し、
リモコン操作により車体の上方に向けて投光される投光ランプユニットの照射光によって車両の駐車位置をリモコン操作者に知らせることを特徴とする車両の駐車位置確認方法。
【請求項２】
前記投光ランプユニットの照射光が車両のフロントウィンド、リヤウィンド、サイドウィンド若しくはサンルーフの開口を通して車内から車両の上方に向けて投光されるように投光ランプユニットを車内に設置することを特徴とする請求項１に記載の車両の駐車位置確認方法。
【請求項３】
前記投光ランプユニットで文字、図形若しくは記号を投影することを特徴とする請求項１に記載の車両の駐車位置確認方法。
【請求項４】
前記投光ランプユニットが車体に着脱可能な台座と、台座にボールジョイントを介して組み付けた投光ランプから成ることを特徴とする請求項１に記載の車両の駐車位置確認方法。
【発明の詳細な説明】
【技術分野】
【０００１】
本発明は車両の駐車位置確認方法に関する。
【背景技術】
【０００２】
大型ホテル、デパート、地下街、公園、球場等には広大なスペースの地下駐車場が併設されている。また、高速道路のサービスエリアにも広大なスペースの駐車場が併設されている。地下駐車場に駐車した場合、あるいは夜間にサービスエリアの駐車場に駐車した場合、用事を済ませて駐車した車に戻るとき、夜間や照明の暗い地下駐車場では、広い駐車場のどの辺りに駐車したのか、迷ってしまい、なかなか駐車した自分の車両に戻れないといった事態は多くの人が経験している。本発明はかかる事情に鑑みてなされたものである。
【０００３】
実用新案登録第３１５６５８７号には車体にＬＥＤで発光するネームプレートを設置した貸切バスが開示されている。高速道路のサービスエリアの広い駐車場に夜間駐車した貸切バスから降りた乗客は、貸切バスに戻るとき、発光するネームプレートを目印にして自分が乗って来た貸切バスを容易に見つけることができる。
【先行技術文献】
【特許文献】
【０００４】
【特許文献１】実用新案登録第３１５６５８７号公報
【発明の概要】
【発明が解決しようとする課題】
【０００５】
しかし、貸切バスの乗客は貸切バスの近くまで辿り着かないことには、発光するネームプレートを見付けることが出来ない。そのため、乗客が駐車した貸切バスから降りて、離れたところにある売店やトイレで用を済ませた後、バスに戻ろうとする場合、ネームプレートが光っていても、やはり自分の乗って来た貸切バスを広い駐車場で見つけることは容易でない。
本発明はかかる問題点に鑑み、広い駐車場に駐車した車両を夜間あるいは暗い地下駐車場で容易に見つけることができる車両の駐車位置確認方法を提供することを目的とする。
【課題を解決するための手段】
【０００６】
請求項１に記載の発明は、車両の駐車位置確認方法であって、
リモコン操作で点灯制御できる投光ランプユニットを、点灯したとき車体の上方に向けて照射光が投光されるように車体に設置し、
リモコン操作により車体の上方に向けて投光される投光ランプユニットの照射光によって車両の駐車位置をリモコン操作者に知らせることを特徴とする。
【０００７】
請求項２に記載の発明は、請求項１に記載の車両の駐車位置確認方法において、
前記投光ランプユニットの照射光が車両のフロントウィンド、リヤウィンド、サイドウィンド若しくはサンルーフの開口を通して車内から車両の上方に向けて投光されるように投光ランプユニットを車内に設置することを特徴とする。
【０００８】
請求項３に記載の発明は、請求項１に記載の車両の駐車位置確認方法において、前記投光ランプユニットで文字、図形若しくは記号を投影することを特徴とする。
【０００９】
請求項４に記載の発明は、請求項１に記載の車両の駐車位置確認方法において、
前記投光ランプユニットが車体に着脱可能な台座と、台座にボールジョイントを介して組み付けた投光ランプから成ることを特徴とする。
【発明の効果】
【００１０】
請求項１に記載の発明によれば、乗員が駐車した車両に戻る際、車体に設置した投光ランプユニットを車外の離れた場所からリモコン操作すると、投光ランプユニットの照射光が車体の上方に向けて投光されるので、夜間あるいは暗い地下駐車場に駐車した場合、乗員は駐車した車両から遠く離れた場所からでも照射光で自分の車体の駐車位置を容易に知ることができる。
とりわけ本発明によれば、駐車車両の周囲の人や車両が投光ランプユニットで照射されることがないように、投光ランプユニットの照射光を車両の上方に向けて投光するので、投光ランプユニットの照射光や音声で駐車車両の周囲に迷惑を及ぼすおそれがない。
【００１１】
請求項２に記載の発明によれば、投光ランプユニットを車内に設置するので、投光ランプユニットに雨水や泥、塵埃が付着して作動不良を来たすのを防止できるだけでなく、車両の走行中に道路に落下するおそれもない。また、投光ランプユニットの盗難を防止できる。
【００１２】
請求項３に記載の発明によれば、地下駐車場で投光ランプユニットを点灯すると天井や壁面上部に文字、図形、記号等が映し出されるので、より一層明確に車両の位置を乗員に知らせることが可能となる。
【００１３】
請求項４に記載の発明によれば、台座を車両のルーフ、ボンネット、トランクリッド等、車体外面の適宜箇所、あるいはダッシュボードやコンソールボックス、リヤシートの上部等、車内の適宜箇所に設置し、ボールジョイントで投光ランプの向きを調整して車体上方に投光ランプユニットの照射光を投光できるので、投光ランプユニットの設置箇所の制約が少なく、使い勝手が良い。
【図面の簡単な説明】
【００１４】
【図１】本発明の実施例に係る車両の駐車位置確認方法に用いる投光ランプユニットを示す断面図である。
【図２】同投光ランプユニットの透光性シートを示す平面図である。
【図３】同車両の駐車位置確認方法を示す説明図である。
【図４】同車両の駐車位置確認方法を示す説明図である。
【図５】同車両の駐車位置確認方法を示す説明図である。
【実施例】
【００１５】
以下に本発明を図面に基づき説明する。図１には本発明の一実施例に係る車両の駐車位置確認方法に用いるに好適な投光ランプユニット１０と、投光ランプユニット１０を点灯制御するリモコン１１が示されている。当該投光ランプユニット１０は投光ランプ２０と台座３０、ソケット４１及びボールジョント４２から成る。当該投光ランプ２０は熱伝導性と放熱性に優れたアルミニウム等の金属材料又はセラミックス材料から成る放熱体２１と、放熱体２１の一端に取り付けられた、国際規格に則った形状、寸法を有する口金２２と、放熱体２１の他端開口部に取り付けられた透明なアクリル樹脂製グローブ２３とを備えている。
【００１６】
放熱体２１の内部には、ＬＥＤチップ２４を実装したモジュール基板２５と、ＬＥＤチップ２４に電力を供給する点灯回路２６が固定され、ＬＥＤチップ２４がグローブ２３で覆われている。そして、点灯回路２６と口金２２がリード線２７で電気的に接続されている。また、放熱体２１とグローブ２３の境界面に透光性シート２８が固定されている。
【００１７】
グローブ２３はアクリル樹脂の成型品で、一端に開口２３ａを形成し、他端に頂面２３ｂを一体成形した円筒構造を有し、頂面２３ｂは凸レンズ形状に成形されている。このグローブ２３はリング２９を介して放熱体２１に着脱可能に取り付けられている。このリング２９は図示略のロック機構によって放熱体２１のフランジ部２１ａに着脱可能に嵌着されている。グローブ２３の開口端部２３ａの内周面にネジ２３ｃが形成されている。一方、リング２９の外周面にネジ２３ｃに螺号するネジ２９ａが形成されている。グローブ２３は放熱体２１に固定したリング２９のネジ２９ａにネジ２３ｃ部分をねじ込むことにより放熱体２１に対し進退可能、かつ着脱可能に取付けられている。
【００１８】
透光性シート２８はリング２９と放熱体２１のフランジ部２１ａとの間に介装され、リング２９を放熱体２１に嵌着することにより、リング２９と放熱体２１のフランジ部２１ａで挟持され、ＬＥＤチップ２４の直前に配置されている。この透光性シート２８はリング２９を放熱体２１から取り外すことにより、投光ランプ２０の中から取り出すことができる。透光性シート２８は透光性プラスチックフィルムから成り、表面に図柄２８ａが印刷されている。
【００１９】
投光ランプ２０はソケット４１に着脱可能に装着されている。このソケット４１はボールジョイント４２を介して台座３０の上部に組み付けられている。ボールジョイント４２はソケット４１の底部に一体に設けた雌型ジョイント部４２ａと台座３０の上部に一体に設けた雄型ジョイント部４２ｂから成る。ソケット４１は雌型ジョイント部４１ａと雄型ジョイント部４１ｂを嵌合することにより、前後、左右、上下に回動可能に台座３０に組み付けられている。
【００２０】
台座３０にはリモコン１１から送信される信号を受信し、投光ランプ２０の点灯回路２６に点灯信号を出力する受信回路３１と、投光ランプ２０及び受信回路３１に電力を供給するバッテリ３２が内蔵されている。また、台座３０の底面には吸盤３３が取り付けられている。
【００２１】
本実施例の車両の駐車位置確認方法に用いる投光ランプユニット１０の構造は以上の通りであって、次にその使用方法を説明する。投光ランプユニット１０の台座３０を車両５０のダッシュボード５１の上に置いて吸盤３３でダッシュボード５１に吸着して固定する。投光ランプ２０の照射光が車両５０のフロントウィンド５２を通して車両５０の上方へ投光されるように、ボールジョイント４２で投光ランプ２０の向きを調整しておく。
【００２２】
乗員が地下駐車場に車両５０を駐車して用事を済ませ、地下駐車場に戻ったとき、リモコン１１のボタンを押すと、図３に示すように、投光ランプ２０が点灯し、図柄２８ａが地下駐車場の天井、あるいは壁の上部に投影されるので、乗員はそれを見て車両５０の駐車位置を容易に知ることができる。
【００２３】
本実施例によれば、駐車車両５０の周囲の人や車両５０が投光ランプユニット１０で照射されることがないように、投光ランプユニット１０の照射光を車両５０の上方に向けて投光するので、投光ランプユニット１０の照射光や音声で駐車車両５０の周囲に迷惑を及ぼすおそれがない。
【００２４】
投光ランプユニット１０を車内に設置するので、投光ランプユニット１０に雨水や泥、塵埃が付着して作動不良を来たすのを防止できるだけでなく、車両５０の走行中に道路に落下するおそれもない。また、投光ランプユニット１０の盗難を防止できる。
【００２５】
地下駐車場で投光ランプユニット１０を点灯すると天井や壁面上部に図柄２８ａが映し出されるので、より一層明確に車両５０の位置を乗員に知らせることが可能となる。
【００２６】
本実施例では車両５０のボンネットの上に投光ランプユニット１０を設置したが、図４に示すように、リヤシート５３の上部に投光ランプユニット１０を設置し、照射光をリヤウィンド５４を通して車両５０の上方へ投光することもできる。また、図５に示すように、投光ランプユニット１０を車両５０のコンソールボックス５５の上に設置し、サンルーフ５６の開口を通して照射光を車両５０の上方へ投光することもできる。さらにまた、車両５０のサイドウィンドを通して、車両５０の上方へ投光することもできる。
【００２７】
本実施例に用いた投光ランプユニット１０によれば、グローブ２３を放熱体２１から取り外して、透光性シート２８を交換し、投影する図柄２８ａ等を変えることができる。また、グローブ２３をリング２９に対して進退させ、投光される図柄２８ａが天井等に鮮明に映し出されるようにレンズ２３ｂの焦点調整を行うことができる。
【００２８】
なお、本実施例ではＬＥＤチップ２４を光源とする投光ランプ２０を用いたが、投光ランプ２０の光源としてレーザー光やストロボ光を用いることもできる。また、台座３０にバッテリ３２を内蔵したが、車両５０のバッテリを利用することもできる。さらにまた、台座３０の吸盤３３に代えて両面接着テープで投光ランプユニット１０を車体に固定することもできる。
【符号の説明】
【００２９】
１０…投光ランプユニット
１１…リモコン
２０…投光ランプ
２３ｂ…レンズ
２４…ＬＥＤチップ
２８…透光性シート
２８ａ…図柄
３０…台座
３１…受信回路
３３…吸盤
４２…ボールジョイント
５０…車両
５１…ダッシュボード
５２…フロントウィンド
５３…リヤシート
５４…リヤウィンド
５５…コンソールボックス
５６…サンルーフ
【図１】
2016113004.tif 000003
【図２】
2016113004.tif 000004
【図３】
2016113004.tif 000005
【図４】
2016113004.tif 000006
【図５】
2016113004.tif 000007